(57)【特許請求の範囲】
【請求項１】
口頸部２を起立する容器体１と、
前記口頸部２外面へ嵌合させた装着筒12上端から、内向きフランジ状頂壁13を介して、前記口頸部２内方へ、下端小径の弾性テーパ状壁部14を垂下すると共に、該壁部下端から前記内向きフランジ状頂壁13上方へノズル15を起立した注出筒11と、
前記ノズル15外面に有頂のキャップ筒22を嵌合させると共に、該キャップ筒外面の下端から突出した外向きフランジ状の張出板部23を、前記内向きフランジ状頂壁13の外周よりも内方部分上面に載置した蓋体21とから成り、
前記ノズル15外面及びキャップ筒22内面の一方には、係合凸部16を、又、他方には、該係合凸部と嵌合する係合凹部24を設けておくと共に、
前記キャップ筒22を、前記テーパ状壁部14の弾性に抗して側外方へ倒したときに、該キャップ筒22が前記張出板部23の外周下端縁を中心とする回動により前記ノズル15に対して上昇することで、前記係合凸部16及び係合凹部24の嵌合が解除可能に、キャップ筒22の筒長を、前記張出板部23の突出長さに対して大としたことを特徴とする蓋体付き容器。
【請求項２】
前記係合凸部16及び係合凹部24の一方を、キャップ筒22内面の下端部に、他方を、該下端部に対応するノズル15外面部分に、それぞれ、形成したことを特徴とする、請求項１記載の蓋体付き容器。
【発明の詳細な説明】
【０００１】
【発明の属する技術分野】
本願発明は、蓋体付き容器、特に、手先の自由が制限される病人或いは高齢者にとって開蓋することが容易な蓋体付き容器に係る。
【０００２】
【従来の技術】
【発明の解決しようとする課題】
例えば、容器口頸部の外面と該口頸部嵌合用の有頂筒状の蓋体内面とに、相互に嵌合する、蓋体係止用の凸条及び凹溝を設けたものが広く使用されている。
【０００３】
前記凸条及び凹溝は、口頸部から蓋体が不用意に外れないように或る程度固嵌めする必要があるが、そうすると、該蓋体引抜きの際に大きな力を要し、例えば、手先の自由が制限される病人や高齢者にとって開蓋が困難となる虞がある。
【０００４】
そこで、本願発明は、梃の作用により蓋係止用の凹凸部の乖離を容易とするため、容器体口頸部外面へ嵌合させた注出筒上端の内向きフランジ状頂壁から、下端小径の弾性テーパ状壁部を介して、ノズルを起立すると共に、該ノズル外面へ嵌合させたキャップ筒下端の外向きフランジ状張出板部を、内向きフランジの内方部分上面に載置させ、該張出板部外周下端縁を中心としてキャップ筒を回転させたときに、該筒内面とノズル外面とにそれぞれ設けた凹凸部の嵌合が解けるように設けた蓋体付き容器を提供することを目的とする。
【０００５】
【課題を解決する手段】
第１の手段は、
口頸部２を起立する容器体１と、
前記口頸部２外面へ嵌合させた装着筒12上端から、内向きフランジ状頂壁13を介して、前記口頸部２内方へ、下端小径の弾性テーパ状壁部14を垂下すると共に、該壁部下端から前記内向きフランジ状頂壁13上方へノズル15を起立した注出筒11と、
前記ノズル15外面に有頂のキャップ筒22を嵌合させると共に、該キャップ筒外面の下端から突出した外向きフランジ状の張出板部23を、前記内向きフランジ状頂壁13の外周よりも内方部分上面に載置した蓋体21とから成り、
前記ノズル15外面及びキャップ筒22内面の一方には、係合凸部16を、又、他方には、該係合凸部と嵌合する係合凹部24を設けておくと共に、
前記キャップ筒22を、前記テーパ状壁部14の弾性に抗して側外方へ倒したときに、該キャップ筒22が前記張出板部23の外周下端縁を中心とする回動により前記ノズル15に対して上昇することで、前記係合凸部16及び係合凹部24の嵌合が解除可能に、キャップ筒22の筒長を、前記張出板部23の突出長さに対して大として成る。
【０００６】
第２の手段は、前記第１の手段を有し、かつ、前記係合凸部16及び係合凹部24の一方を、キャップ筒22内面の下端部に、他方を、該下端部に対応するノズル15外面部分に、それぞれ、形成して成る。
【０００７】
【発明の実施の形態】
１は、容器体であり、胴部から肩部を介して口頸部２を起立している。
【０００８】
図示例では、該口頸部の上端部内面には、図３に示す如く、容器体未使用状態での液洩れ防止用の中栓３を嵌合させている。該中栓は、有底筒状のものであり、該栓上端に付設した鍔部４を口頸部２上端面上に載置している。
【０００９】
11は、前記口頸部２外面へ嵌合させた注出筒である。該注出筒は、口頸部外面へ螺合させた装着筒12の上端から内向きフランジ状頂壁13を内方突出すると共に、該頂壁を前記鍔部４を介して前記口頸部２上端面へ載置している。該内向きフランジ状頂壁13の内周縁からは、口頸部２内方へ、下端小径の弾性テーパ状壁部14を垂下すると共に、該テーパ状壁部の下端内周部から、前記内向きフランジ状頂壁13上方へノズル15を起立することで、該ノズルを前記テーパ状壁部の弾性に抗して側外方へ傾斜可能に設ける。尚、図示例では、該ノズルは、図２に示す如く、やや先細に形成している。又、前記内向きフランジ状頂壁よりもやや上方のノズル部分外面には、係合凸部16として突条を周設している。
【００１０】
21は、蓋体であり、前記ノズル15外面へ嵌着させた有頂のキャップ筒22を有する。該キャップ筒の外面下端部からは、図１に示す如く、前記内向きフランジ状頂壁13よりも小外径の外向きフランジ状張出板部23を、外方突設しており、該板部を、前記内向きフランジ状頂壁13の外周よりも内方部分上面へ載置させている。該キャップ筒22の内面の下端部付近には、溝状の係合凹部24を周設し、該凹部内へ前記係合凸部16を嵌合させている。
【００１１】
該嵌合を解除するため、前記蓋体21は梃相当の構造を有する。即ち、キャップ筒22の筒長を前記張出板部23の突出長に対して大とすることで、図３に示す如く、キャップ筒22の上端部を力点Ａとして側外方へ押し、テーパ状壁部14の弾性に抗して傾けたときに、前記側外方寄りの張出板部23外周下端縁を支点Ｂとしてキャップ筒22が回動し、該回動によりキャップ筒22がノズル15に対して上昇することで、作用点Ｃである係合凸部16及び係合凹部24の嵌合位置にて該嵌合が解けるように設ける。
【００１２】
尚、前述の容器体１、中栓３、注出筒11、及び、蓋体21は、それぞれ、合成樹脂材で一体成形することができる。
【００１３】
前記構成によれば、図３に示す未使用状態で、まず、前記中栓３は口頸部２上端面を液密に閉塞しており、例えば、本願容器を取り落としてキャップ筒22がノズル15から外れた場合に、図４に想像線で示す如く、液洩れを防止している。
【００１４】
前記容器を使用するときには、予め、前記装着筒12を口頸部２外面から外して、中栓３を除去した後、前記装着筒を口頸部へ再装着しておく。この作業は、既述の病人等が出来ない場合には、その介添え人等の手によって行うと良い。
【００１５】
前記中栓を除去した後、前記病人等が、力点Ａ、即ち、キャップ筒22上端部に側外方への押込み力を加えると、キャップ筒及びノズル15は共に傾くが、図４に示す如く、キャップ筒が張出板部23の外周下端縁を支点Ｂとして回動するのに対して、テーパ状壁部14下端から起立したノズル15は回転し得ないため、該ノズルに対してキャップ筒が上昇し、梃の原理により、前記作用点Ｃで前記係合凸部16及び係合凹部24の嵌合が解ける。この状態で、病人等は、蓋体21をノズル15外面から容易に外すことができ、そのノズル孔から収納液体等を注出できる。
【００１６】
又、前記押込み力を解除すると、ノズル15は、前記テーパ状壁部14の弾性復元力により、垂直状態に復帰する。該状態で、病人等が蓋体21をノズル15外面へ嵌合させれば、本願容器は閉蓋状態に戻る。
【００１７】
【発明の効果】
本願発明は如上の構成であり、請求項１記載の発明は次の効果を奏する。
○本願容器は、口頸部２外面へ嵌合させた装着筒12上端から、内向きフランジ状頂壁13を介して弾性テーパ状壁部14を垂下すると共に、該壁部下端から起立したノズル15の外面に、蓋体21が有するキャップ筒22を嵌合させ、又、該筒下端の外向きフランジ状の張出板部23を、前記内向きフランジ状頂壁13の内方部分上面に載置して成り、かつ、該張出板部23の外周下端縁を中心にキャップ筒22を回転させたときに、該筒内面とノズル15外面とにそれぞれ設けた係合凸部16及び係合凹部24の嵌合の解除が可能に、キャップ筒22の筒長を前記張出板部23の突出長さに対して大としたから、キャップ筒22の上端部を力点Ａ、前記張出板部23の外周下端縁を支点Ｂ、前記係合凸部16及び係合凹部24の嵌合位置を作用点Ｃとする梃の作用により、該嵌合を僅かな力で解くことができ、特に、握力が弱く、或いは、手先の自由に制限がある利用者にとっても、開蓋が容易である。
○前記蓋体21は、前記外向きフランジ状の張出板部23の外周下端縁を中心にキャップ筒22が回動するように構成したから、キャップ筒22の任意の半径方向へ傾けても蓋体21を外すことができ、キャップ筒22を傾けるべき方向が決まっていないので、例えば、視力が弱い利用者にとっても開蓋が容易である。
【００１８】
又、請求項２の発明によれば、前記係合凸部16及び係合凹部24の一方を、キャップ筒22内面の下端部に、他方を、該下端部に対応するノズル15外面部分に、それぞれ、形成したから、前記係合凸部16及び係合凹部24の嵌合位置である作用点Ｃと張出板部外周下端縁である支点Ｂとの距離が小となり、該距離に対して、キャップ筒22上端である力点Ａと前記支点Ｂとの距離を大きくすることができるので、前述の梃作用も大となり、前記開蓋の容易性が高まる。
【図面の簡単な説明】
【図１】  本願容器の要部斜視図である。
【図２】  図１の容器の使用状態説明図である。
【図３】  図１の容器の未使用状態の要部縦断面図である。
【図４】  図１の容器の使用状態を説明する断面図である。
【符号の説明】
１…容器体                        ２…口頸部
３…中栓                          ４…鍔部
11…注出筒                        12…装着筒
13…内向きフランジ状頂壁          14…弾性テーパ状壁部
15…ノズル                        16…係合凸部
21…蓋体                          22…キャップ筒
23…張出板部                      24…係合凹部
【図１】
0004067741.tif 000002
【図２】
0004067741.tif 000003
【図３】
0004067741.tif 000004
【図４】
0004067741.tif 000005